【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルの前面に設けられると共に、表示パネルの少なくとも周辺部を覆う前面部材と、
前記表示パネルの背面に設けられると共に、表示パネルの少なくとも背面を覆う背面部材と、
前記背面部材と前面部材とを接着すると共に、前記表示パネルの外周部分を覆う接着部と
を備えた表示装置。
【請求項２】
前記前面部材は、前記表示パネルの外縁部に設けられた枠体である、請求項１に記載の表示装置。
【請求項３】
前記前面部材は、前記表示パネル前面を覆う透明板である、請求項１または２に記載の表示装置。
【請求項４】
前記前面部材および背面部材は同一材料からなる、請求項１乃至３のいずれか１つに記載の表示装置。
【請求項５】
前記前面部材および背面部材は、樹脂材料からなる、請求項１乃至４のいずれか１つに記載の表示装置。
【請求項６】
前記前面部材および背面部材は、ガラスからなる、請求項１乃至５のいずれか１つに記載の表示装置。
【請求項７】
前記表示パネルと前記背面部材との間に光源と、光学シートと、導光板とを含むバックライトユニットを有し、前記導光板は前記背面部材を兼ねる、請求項１乃至６のいずれか１つに記載の表示装置。
【手続補正２】
【補正対象書類名】明細書
【補正対象項目名】００１０
【補正方法】変更
【補正の内容】
【００１０】
本開示の実施の形態について図面を参照して以下の順に詳細に説明する。
１．第１の実施の形態
（フロントベゼルとバックシャーシとを封止材によって接着した表示装置）
２．第２の実施の形態
（トップシャーシとリアカバーとをミドルシャーシで接続した表示装置）
３．第３の実施の形態
（フロントカバーとリアカバーとを封止材によって接着した表示装置）
４．第４の実施の形態
（導光板が背面部材を兼ねた表示装置）
【手続補正３】
【補正対象書類名】明細書
【補正対象項目名】００１１
【補正方法】変更
【補正の内容】
【００１１】
１．第１の実施の形態
図１は、本開示の第１の実施の形態に係る表示装置（表示装置１）の断面構成を表したものであり、図２は表示装置１の全体構成を分解斜視したものである。表示装置１は例えばテレビジョン装置として用いられる液晶表示装置である。この表示装置１は、表示パネル１０，光学シート１６，導光板１７および光源１８等を含むバックライトユニットがフロントベゼル２１（前面部材）およびバックシャーシ２２（背面部材）からなる筐体２０に収容され、このフロントベゼル２１およびバックシャーシ２２が接着部２３によって接着された構成を有する。導光板１７の一端面には光源１８としてＬＥＤが複数配されており、この光源１８から射出された光が導光板１７を経て、表示パネル１０に照射され、フロントベゼル２１側に表示光として取り出されるようになっている。
【手続補正４】
【補正対象書類名】明細書
【補正対象項目名】００２２
【補正方法】変更
【補正の内容】
【００２２】
本実施の形態では、フロントベゼル２１およびバックシャーシ２２は、接着部２３によって接着されている。この接着部２３によってフロントベゼル２１およびバックシャーシ２２を一体化することによって、フロントベゼル２１およびバックシャーシ２２を接続するための接続部材（例えばミドルシャーシ等）が省略される。接着部２３としては、十分な接着力および弾性を有する接着剤、具体的には、アクリル樹脂，ウレタン樹脂，エポキシ樹脂，塩化ビニル樹脂，変成シリコーン樹脂等の接着剤が挙げられる。また、本実施の形態のようにフロントベゼル２１およびバックシャーシ２２を接着部２３によって接着する際には、接合強度等を向上するために同一素材を用いることが好ましい。例えば、表示装置１内に設けられる各種回路や電子部品から発生する電磁波を遮蔽するために金属材料を用いることが好ましい。これにより、表示装置１の内部に設けられる各種回路や電子部品から生じる不要輻射が軽減される。
【手続補正５】
【補正対象書類名】明細書
【補正対象項目名】００４１
【補正方法】変更
【補正の内容】
【００４１】
また、表示装置２を構成する部品点数を削減することが可能となるため、コストが低減されると共に、表示装置１よりも軽量化することが可能となる。
【手続補正６】
【補正対象書類名】明細書
【補正対象項目名】００４６
【補正方法】変更
【補正の内容】
【００４６】
封止層４４は、表示パネル１０とフロントガラス４１との間を封止するためのものであり、例えば感光硬化性や熱硬化性，湿気硬化性，嫌気硬化性，ホットメルト，あるいはこれら特性を組み合わせた樹脂等を用いることができる。なお、封止層４４は省略しても構わないが、表示パネル１０とフロントガラス４１との間を封止層４４によって封止することにより強度が向上すると共に、画質が向上する。更にデザイン性も向上する。
【手続補正７】
【補正対象書類名】明細書
【補正対象項目名】００５０
【補正方法】変更
【補正の内容】
【００５０】
導光板５２は、上述したように表示パネル１０の背面全体を覆うと共に、上記フロントガラス５１と同一または同様の性質を有する材料、例えば第３の実施の形態と同様に、表示装置４全体を支持可能な剛性を有する部材を用いることができる。具体的には、例えば厚み１．０ｍｍ〜３．０ｍｍ程度のガラスやＡｌ，Ｆｅ等の金属が挙げられる。また、導光板５２の背面全体には表示装置４内部への外光の入射を防止する遮光膜５２Ａが設けられている。この遮光膜５２Ａは、上記第２，第３の実施の形態と同様に、例えば黒色の着色剤を混入した光学濃度が１以上の黒色のフィルム等の樹脂膜により構成されている。このうち黒色の樹脂膜により構成するようにすれば、安価で容易に形成することができるので好ましい。
【手続補正８】
【補正対象書類名】明細書
【補正対象項目名】００５１
【補正方法】変更
【補正の内容】
【００５１】
飾り枠５３は、上記第３の実施の形態と同様に、表示装置４の前面および背面の間の側面を覆うと共に、前面部材であるフロントガラス５１および背面部材である導光板５２を接続するための接着部２３を封止するためのものである。飾り枠５３の材料としては、上記第３の実施の形態と同様の材料を用いることができる。
【手続補正９】
【補正対象書類名】明細書
【補正対象項目名】００５５
【補正方法】変更
【補正の内容】
【００５５】
なお、本技術は以下のような構成を取ることも可能である。
（１）表示パネルと、前記表示パネルの前面に設けられると共に、表示パネルの少なくとも周辺部を覆う前面部材と、前記表示パネルの背面に設けられると共に、表示パネルの少なくとも背面を覆う背面部材と、前記背面部材と前面部材とを接着すると共に、前記表示パネルの外周部分を覆う接着部とを備えた表示装置。
（２）前記前面部材は、前記表示パネルの外縁部に設けられた枠体である、前記（１）に記載の表示装置。
（３）前記前面部材は、前記表示パネル前面を覆う透明板である、前記（１）または（２）に記載の表示装置。
（４）前記前面部材および背面部材は同一材料からなる、前記（１）乃至（３）のいずれか１つに記載の表示装置。
（５）前記前面部材および背面部材は、樹脂材料からなる、前記（１）乃至（４）のいずれか１つに記載の表示装置。
（６）前記前面部材および背面部材は、ガラスからなる、前記（１）乃至（５）のいずれか１つに記載の表示装置。
（７）前記表示パネルと前記背面部材との間に光源と、光学シートと、導光板とを含むバックライトユニットを有し、前記導光板は前記背面部材を兼ねる、前記（１）乃至（６）のいずれか１つに記載の表示装置。
【手続補正１０】
【補正対象書類名】図面
【補正対象項目名】図１
【補正方法】変更
【補正の内容】
【図１】
2012242805.tif 000001